(57)【要約】【課題】機械的剛性を介した爪の牽引、および、爪が弱い場合でも機械的剛性のために爪が曲がらないようにすることが可能な爪矯正装置を提供する。【解決手段】爪矯正装置１００は、爪（ｎａｉｌ）に接触して爪の中央部を加圧するプレッシングユニット１１０と、爪の両端にかけられて上向きに牽引するトーイングユニット１２０と、回転することでトーイングユニット１２０を牽引または加圧すると共に、下端がプレッシングユニット１１０の上面を加圧または牽引するスピンドルユニット１３０と、を含む。【選択図】図１
2018516649.tif 000002
【特許請求の範囲】
【請求項１】
爪に接触して前記爪の中央部を加圧するプレッシングユニットと、
前記爪の両端にかけられ、前記両端を上向きに牽引するトーイングユニットと、
前記トーイングユニットに締結され、回転することで前記トーイングユニットを牽引または加圧すると共に、下端が前記プレッシングユニットの上面を加圧または牽引するスピンドルユニットと、を含むことを特徴とする爪矯正装置。
【請求項２】
前記トーイングユニットは、
前記スピンドルユニットに締結され、前記スピンドルユニットの回転によって前記スピンドルユニットの長さ方向に上下流動されるビームと、
前記ビームの両端にそれぞれ締結され、前記爪に向かって前記スピンドルユニットに水平になるように配置される一対のクランクと、
前記一対のクランクの下端に回転するようにそれぞれ配置され、それぞれの下部が前記爪の端に配置される一対のアームと、
前記一対のアームの下端にそれぞれ配置され、前記爪の下向に曲がった端にかけられて引き上げるフックと、を含むことを特徴とする請求項１に記載の爪矯正装置。
【請求項３】
前記スピンドルユニットは、
前記ビームの中央部に締結され、外周面にねじ山が形成されて回転されることで前記ビームを上下に流動させるスクリューバーと、
前記スクリューバーの上部に配置される取っ手と、を含むことを特徴とする請求項２に記載の爪矯正装置。
【請求項４】
前記プレッシングユニットは、
前記爪の中央部に接触して加圧する加圧フレームと、
前記加圧フレームをホールディングし、上面が前記スクリューバーの下端部によって加圧され、両側に形成された孔を介して、前記アームを貫通させるブリッジと、を含むことを特徴とする請求項３に記載の爪矯正装置。
【請求項５】
前記加圧フレームは、
前記爪幅の３０％以上の幅を有し、前記爪の上面に接触することを特徴とする請求項４に記載の爪矯正装置。
【請求項６】
前記ブリッジは、
両側に形成された孔は内側から外側に向かうほど半径が増加するように形成され、
前記アームは、
下部から上部に向かうほど狭い半径の厚さを形成し、
前記スクリューバーが前記加圧フレームを加圧する場合、
前記アームの幅が互いに広がることを特徴とする請求項４に記載の爪矯正装置。
【発明の詳細な説明】
【技術分野】
【０００１】
本発明は、手の爪または足の爪を矯正するための装置に関し、より詳しくは、内向性で手の指や足の指の先の肉に食い込む爪を牽引し矯正する装置に関する。
【背景技術】
【０００２】
巻き爪または内向性爪は、爪が手の指の先或いは足の指の先のある一側または他側の縁から内側の肉に食い込む現象であって、日常生活に支障をきたすほど厄介な疾患である。
内向性爪の発生原因としては圧迫、外傷、内側の肉まで食い込む爪または先天的な異常などが挙げられるが、内向性爪の疾患は主に足の親指の爪から発生することが多い。
このような内向性爪を治療する方法としては、外科的手術として爪の一部または全部を除去する方法があったが、最近は各種機具や装置を用いて、爪が食い込む現象を防止している。
【０００３】
現在、内向性爪を治療するために生産及び販売されている公開実施技術はほとんど爪の上面に取り付け、取り付けた物質の弾性を利用して両端の爪を引き上げる方法を主に取り入れている。
しかし、このような公開及び公知の技術は牽引力が弱く、牽引のために取り付けた物質の接着力が爪の上面で求められるほど再現できない問題点があった。
関連する特許技術文献としては、「巻き爪矯正具（特許文献１）」、「内向性爪の矯正装置（特許文献２）」、「爪矯正具（特許文献３）」、または「バネ状巻き爪矯正具（特許文献４）」などがある。
このうち、「巻き爪矯正具（特許文献１）」の場合、機械的強度が十分で牽引力が確実な長所があるが、腕部２１が安定的ではないこと、腕部２１が不必要に広げられる恐れがあること、可動体３１が足の爪の局所部分を加圧することで足の爪が曲がる恐れがあることなど、弱い爪には適用しにくい問題点などがあった。
【先行技術文献】
【特許文献】
【０００４】
【特許文献１】特開２０１４−１３８６９０号公報
【特許文献２】韓国公開特許第２００９−０１２２４９８号公報
【特許文献３】特開２０１５−０５４１６１号公報
【特許文献４】特開２０１０−１５５０５９号公報
【発明の概要】
【発明が解決しようとする課題】
【０００５】
本発明による爪矯正装置は、上述したような従来の問題点を解決するために案出されたものであって、機械的剛性を介した爪の牽引はもちろん、爪が弱い場合でも機械的剛性のために爪が曲がらないようにする。
本発明の解決課題は上述したものに限らず、上述されていない他の解決課題は以下の記載から当業者に明確に理解されるはずである。
【課題を解決するための手段】
【０００６】
本発明による爪矯正装置は、上述した課題を解決するために以下のような解決手段を有する。
本発明による爪矯正装置は、爪（ｎａｉｌ)に接触して前記爪の中央部を加圧するプレッシングユニットと、前記爪の両端にかけられ、前記両端を上向きに牽引するトーイングユニットと、前記トーイングユニットに締結され、回転することで前記トーイングユニットを牽引または加圧すると共に、下端が前記プレッシングユニットの上面を加圧または牽引するスピンドルユニットと、を含む。
【０００７】
本発明による爪矯正装置の前記トーイングユニットは、前記スピンドルユニットに締結され、前記スピンドルユニットの回転によって前記スピンドルユニットの長さ方向に上下流動されるビームと、前記ビームの両端にそれぞれ締結され、前記爪に向かって前記スピンドルユニットに水平になるように配置される一対のクランクと、前記一対のクランクの下端に回転するようにそれぞれ配置され、それぞれの下部が前記爪の端に配置される一対のアームと、前記一対のアームの下端にそれぞれ配置され、前記爪の下向に曲がった端にかけられて引き上げるフックと、を含むことを特徴とする。
本発明による爪矯正装置の前記スピンドルユニットは、前記ビームの中央部に締結され、外周面にねじ山が形成されて回転されることで前記ビームを上下に流動させるスクリューバーと、前記スクリューバーの上部に配置される取っ手と、を含むことを特徴とする。
【０００８】
本発明による爪矯正装置の前記プレッシングユニットは、前記爪の中央部に接触して加圧する加圧フレームと、前記加圧フレームをホールディングし、上面が前記スクリューバーの下端部によって加圧され、両側に形成された孔を介して、前記アームを貫通させるブリッジと、を含むことを特徴とする。
本発明による爪矯正装置の前記加圧フレームは、前記爪幅の３０％以上を有し、前記爪の上面に接触することを特徴とする。
本発明による爪矯正装置の前記ブリッジは、両側に形成された孔は内側から外側に向かうほど半径を増加するように形成され、前記アームは、下部から上部に向かうほど狭い半径の厚さを形成するが、前記スクリューバーが前記加圧フレームを加圧する場合、前記アームの幅が広がることを特徴とする。
【発明の効果】
【０００９】
前記のような構成の本発明による爪矯正装置は、以下のような効果を有する。
第一、トーイングユニットが爪の端を引き上げると共に、プレッシングユニットは爪の中央を持続的に押すことで、食い込む爪の形状を治すようにする。
第二、ブリッジは両側のアームが広がらないようにし、加圧フレームは爪幅の５０％以上を占めるようになることで、圧力の提供にもかかわらず、弱い爪が上向きに曲がらないようにする。
本発明の効果は上述したものに限らず、上述されていない他の効果は以下の記載から当業者に明確に理解されるはずである。
【図面の簡単な説明】
【００１０】
【図１】本発明の一実施例による爪矯正装置を示す斜視図である。
【図２】本発明の一実施例によって正面の一部を切開した断面図である。
【図３】本発明の一実施例による爪矯正装置のプレッシングユニットを示す上面図である。
【発明を実施するための形態】
【００１１】
本発明による爪矯正装置は多様な変更を加えることができ、多様な実施例を有することができるため、特定実施例を図面に例示し、詳細な説明に詳しく説明する。しかし、これは本発明を特定の実施形態に対して限定しようとするのではなく、本発明の技術的思想及び技術範囲に含まれる全ての変更、均等物乃至代替物を含むと理解すべきである。
【００１２】
以下、図面を参照して、本発明による爪矯正装置を詳細に説明する。
図１は、本発明の一実施例による爪矯正装置を示す斜視図である。図２は、本発明の一実施例によって正面の一部を切開した断面図である。
【００１３】
本発明による爪矯正装置１００は、図１に示したように、基本的にネイル、つまり爪の上面に接触して加圧するプレッシングユニット１１０と、爪の両端を引き上げるトーイングユニット１２０と、プレッシングユニット１１０を加圧すると共に、トーイングユニット１２０を引き上げるスピンドルユニット１３０と、を含む。
まず、プレッシングユニット１１０は、図１及び図２に示したように装置１００の下側に配置されるが、このような下側が爪に向かう方向である。
【００１４】
プレッシングユニット１１０は下向に加圧されながら、爪の上部、より詳しくは、爪の上部の中央部を加圧するようになるが、これと同時にトーイングユニット１２０は爪の端を引き上げて、両端が肉に食い込む現象を防止する。
このようにプレッシングユニット１１０の加圧力とトーイングユニット１２０の牽引力を提供する原理はスピンドルユニット１３０が提供するが、スピンドルユニット１３０は図１及び図２に示したようにボルトのような長軸を有し、このような長軸がトーイングユニット１２０に締結される。このようなスピンドルユニット１３０は回転されることでトーイングユニット１２０の上下流動をおこすが、爪を矯正するためにはトーイングユニット１２０が上向きに引き上げられるべきであって、これと同時にスピンドルユニット１３０はその下端に配置されたプレッシングユニット１１０を加圧するようになる。
もし逆に、スピンドルユニット１３０がトーイングユニット１２０を下向きにし、プレッシングユニット１１０に印加された加圧力を抜く場合には、引き締めていた爪を緩くすることになる。
【００１５】
トーイングユニット１２０の場合、図１に示したように、スピンドルユニット１３０の垂直に置かれるビーム１２１と、ビーム１２１の両側に一対に提供されるクランク１２２と、クランク１２２の下端にそれぞれ置かれ、爪の両端に位置するようになるアーム１２３と、を含む。
ビーム１２１の場合、図２に示したように、ボルト形式の軸からなるスピンドルユニット１３０に締結されるが、ビーム１２１の中央には開口１２１ｈが形成され、このような開口１２１ｈの内面にはスピンドルユニット１３０の外周面のねじ山に対応するナット形式のめすねじ山が形成されている。
【００１６】
ビーム１２１はスピンドルユニット１３０の回転によって上下に流動されるが、このような流動によってトーイングユニット１２０の牽引力を提供するようになる。
ビーム１２１の両終端の幅は、実質的に成人の足の親指の爪の平均幅に合わせて形成することが好ましい。
ビーム１２１は、その終端に回転するように軸１２１ａが形成されてクランク１２２と連結されるが、クランク１２２はビーム１２１の両終端に配置される一対のものであって、スピンドルユニット１３０と平行に置かれる。
【００１７】
クランク１２２は、その上部が上述したようにビーム１２１の両終端に連結され、その下部はアーム１２３とそれぞれ一つずつ連結される。
アーム１２３はその下部が爪の両端の両側に配置される構成であり、アーム１２３の下端にはフック１２４が形成されて、肉に食い込む爪の両端を引き締める構成である。
これらのビーム１２１、クランク１２２の場合、金属やプラスチックのような材質からなってもよいが、アーム１２３やフック１２４の場合には金属からなることが機械的強度や衛生の側面で好ましいといえる。
【００１８】
スピンドルユニット１３０は、スクリューバー１３１及び取っ手を含む。
スクリューバー１３１の場合、上述したように、垂直に配置されるボルトのような構成であって、その外周面にはねじ山が形成される。
スクリューバー１３１のこのような特性のため、その回転によってビーム１２１を上下に流動させるようになる。
取っ手１３２はスクリューバー１３１の上端部に配置されるが、本装置を使用する者が取っ手１３２を回すと、スクリューバー１３１の回転によってトーイングユニット１２０は上向きの、プレッシングユニット１１０は下向の圧力を発生する。
【００１９】
本発明のプレッシングユニット１１０は、加圧フレーム１１１とブリッジ１１２を含む。
加圧フレーム１１１の場合、爪の中央部に接触して加圧する。
また、ブリッジ１１２の場合、加圧フレーム１１１をホールディングし、上面がスクリューバー１３１の下端部によって加圧され、両側に形成された孔を介してアーム１２３を貫通させるようになる。
【００２０】
加圧フレーム１１１の場合、爪の中央部の上面を加圧するようになるが、従来の発明のように、狭小な部分のみ加圧してしまうと、爪が損傷するかまたは凹むか、或いは爪が上向きに曲がる現象が発生する恐れがあるため、その加圧面積は爪幅の３０％以上の幅、好ましくは５０％以上の幅を有するようにすることが好ましい。
ブリッジ１１２は、両側に形成された孔は内側から外側に向かうほど半径が増加するように形成され、アーム１２３は下部から上部に向かうほど狭い半径の厚さを形成するが、スクリューバー１３１が加圧フレーム１１１を加圧する場合、アーム１２３の幅が広がるようにしてもよい。
【００２１】
ブリッジ１１２の開口１１２ｈには突出部１１３が形成されるが、このような突出部１１３は弾性を有するように形成され、開口１１２ｈの上に出没できるように形成されるが、これを介して、両アーム１２３が広がった幅を狭くまたは広く形成することもできる。
本発明の権利範囲は特許請求の範囲に記載された事項によって決定される。
【符号の説明】
【００２２】
１００：爪矯正装置
１１０：プレッシングユニット
１１１：加圧フレーム
１１２：ブリッジ
１１３：突出部
１２０：トーイングユニット
１２１：ビーム
１２２：クランク
１２３：アーム
１２４：フック
１３０：スピンドルユニット
１３１：スクリューバー
１３２：取っ手
【図１】
2018516649.tif 000003
【図２】
2018516649.tif 000004
【図３】
2018516649.tif 000005
【国際調査報告】
2018516649.tif 000006
2018516649.tif 000007
2018516649.tif 000008
2018516649.tif 000009